(57)【要約】【課題】メカニカルな手段にてドレン回収タンクへの給水量を制御する。【解決手段】ドレン回収管３とボイラ水供給管４の間に介装したドレン回収タンク１に、給水タンク13側への逆流を防止する逆止弁14を介して給水タンク13を接続し、該給水タンク13には給水管15を接続すると共に、該給水管15には給水タンク13内にフロート16ｃを配したフロート弁16を設けることにより、ドレン回収タンク１内が設定水位以下に降下した時の給水管15からの給水量を給水タンク13内に設けたフロート弁16により制御する。  又、逆止弁14にてドレン回収タンク１から給水タンク13へは逆流しないため、ドレン回収タンク１内が設定水位以上になっても、給水タンク13は設定水位よりも上昇せず、過度の水位上昇によるフロート弁16の破損、故障等を阻止する。【選択図】図１
2005083688.tif 000002
【特許請求の範囲】
【請求項１】
ドレン回収管とボイラ水供給管の間に介装したドレン回収タンクに、給水タンク側への
逆流を防止する逆止弁を介して給水タンクを接続し、該給水タンクには給水管を接続する
と共に、該給水管には給水タンク内にフロートを配したフロート弁を設けたことを特徴と
するドレン回収タンクの給水制御装置。
【請求項２】
給水タンクはドレン回収タンクに対する上下位置を調整自在に設置したことを特徴とす
る請求項１記載のドレン回収タンクの給水制御装置。
【請求項３】
給水タンクはドレン回収タンクの高さ方向に所定間隔を置いて設定した複数の取付け部
に着脱自在に設けたことを特徴とする請求項２記載のドレン回収タンクの給水制御装置。
【発明の詳細な説明】
【技術分野】
【０００１】
本発明は、ドレンの回収量が少ない場合、設定水位まで給水する様にしたドレン回収タ
ンクの給水制御装置に関する。
【背景技術】
【０００２】
従来、蒸気管系では、有効利用された蒸気が凝縮して得られるドレンが１００℃近い温
水であることから、このドレンを回収してボイラで再利用し、ボイラのエネルギー消費と
ボイラ水の使用量を軽減している。
ドレンは一旦ドレン回収タンクに貯水してボイラへ供給されるが、蒸気管系の負荷の変
動によってドレン回収量も変動する。
従って、通常はドレン回収タンクの貯水量を少なくとも設定値に保持するために給水制
御装置を装備している。
この装置は、図３に示す様に、ドレン回収管ａとボイラ水供給管ｂの間に介装したドレ
ン回収タンクｃ内に設置され、ドレン回収タンクｃ内の水面の昇降に応じ上下するフロー
トｄにより接点を開閉するフロートスイッチｅと、該フロートスイッチｅに制御盤ｆを介
して接続され、前記接点の開閉により開閉弁する電磁弁ｇとから主に構成されている。
そして、ドレンの流入量が少なく、貯水量がドレン回収タンクの設定水位に満たない場
合、その水位降下に伴うフロートｄの変位をフロートスイッチｅが検知し、該フロートス
イッチｅからの電気信号により電磁弁ｇが開弁し、該電磁弁ｇを取付けた給水管ｈからド
レン回収タンクｃ内に給水され、貯水量を設定水位に保持する様に成している。
【０００３】
研究開発段階や出願段階で先行技術調査を行っておらず、記載すべき先行技術文献を知
りません。
【発明の開示】
【発明が解決しようとする課題】
【０００４】
しかしながら、上記装置では、ドレン回収タンクｃ内の水位を電気的に制御しているた
め、万一ドレン回収タンクｃ周辺の配管系が破損して漏水を生じた場合、漏水が制御盤ｆ
等に接触して漏電することにより、火災等の事故を招来している。
この様な事態が生じることのない様に、ドレン回収タンクｃの水位を上記の様な電気的
な制御でなくメカニカルなフロート弁により制御することが考えられるが、給水制御装置
は、ドレン回収タンクの貯水量が設定水位より下回らない様にしているだけであり、又ド
レン回収タンクはドレンを無駄なく回収すべく、その設定水位以上のドレンを回収するに
十分な容量を有しているので、ドレン回収タンク内にフロート弁を設置した場合、フロー
トを連結支持している梃子杆の上限位置を上回るほど大量にドレンが回収されると、フロ
ートは水没しながらもその浮力によって梃子杆の上限位置より浮き上がろうとするため、
梃子杆が変形、破損してフロート弁が故障することとなり、結局ドレン回収タンクｃにフ
ロート弁を設置することはできなかった。
【課題を解決するための手段】
【０００５】
本発明は、上記課題に鑑み、ドレン回収管とボイラ水供給管の間に介装したドレン回収
タンクに、給水タンク側への逆流を防止する逆止弁を介して給水タンクを接続し、該給水
タンクには給水管を接続すると共に、該給水管には給水タンク内にフロートを配したフロ
ート弁を設けたドレン回収タンクの給水制御装置を提供し、ドレン回収タンク内が設定水
位以下に降下した時の給水管からの給水量を給水タンク内に設けたフロート弁により制御
することよって、上記課題を解決する。
又、給水タンクはドレン回収タンクに対する上下位置を調整自在に設置しても良く、こ
の場合、給水タンクはドレン回収タンクの高さ方向に所定間隔を置いて設定した複数の取
付け部に着脱自在に設けるのがより良い。
【発明の効果】
【０００６】
要するに請求項１記載の発明は、ドレン回収管とボイラ水供給管の間に介装したドレン
回収タンクに、給水タンク側への逆流を防止する逆止弁を介して給水タンクを接続し、該
給水タンクには給水管を接続すると共に、該給水管には給水タンク内にフロートを配した
フロート弁を設けたので、ドレン回収タンクの貯水量が設定水位を下回ると、これに応じ
て給水タンクの水位が降下し、その水位に応じ降下するフロートによってフロート弁が開
弁して給水管から給水タンク内に給水し、該給水タンクを通じてドレン回収タンクを設定
水位に保持できる。
そして、ドレン回収タンクに大量のドレンが流入し、その設定値以上に水位が上昇して
も、ドレン回収タンクから給水タンクへは逆止弁によって逆流しないため、給水タンク内
はその設定水位より上昇することはなく、過度の水位上昇によるフロート弁の破損、故障
等を阻止でき、給水タンクの設定水位を安定的に保持でき、ドレン回収タンク内にドレン
を無駄なく回収でき、ボイラに供給できる。
従って、本発明によれば、フロート弁を使用したメカニカルな制御であってもフロート
弁を故障させるとなく正常に動作させられ、ドレン回収タンクの水位を従来の様な電気的
な制御によらず、ドレン回収タンク内が設定水位以下に降下した時の給水管からの給水量
を給水タンク内に設けたフロート弁により制御できるので、ボイラ周りの漏水による漏電
等の危険がない。
【０００７】
請求項２記載の発明では、給水タンクはドレン回収タンクに対する上下位置を調整自在
に設置したので、ドレン回収タンクに対する給水タンクの高さ位置によってドレン回収タ
ンクの設定水位を変更、即ち給水タンクを上方に設置するほどドレン回収タンクの設定水
位を上方に設定でき、逆に下方に設置するほどドレン回収タンクの設定水位を下方に設定
できる。
従って、ドレン回収タンクの容量等その他の諸条件に応じ、その設定水位を調整でき、
例えば、一旦給水タンクを所定の高さ位置に仮設置し、試験運転した後、ドレン回収タン
クの設定水位に不都合があれば、給水タンクを設置高さを調整して適正な設定水位に変更
でき、最適な使用が実現できる。
【０００８】
請求項３記載の発明では、給水タンクはドレン回収タンクの高さ方向に所定間隔を置い
て設定した複数の取付け部に着脱自在に設けたので、給水タンクのドレン回収タンクに対
する高さ調整や据え付けが簡便に行える。
【発明を実施するための最良の形態】
【０００９】
以下本発明の実施の形態例を図面に基づいて説明する。
図１は蒸気管系に装備したドレン回収タンク１を示し、該ドレン管回収タンク１には、
給水制御装置２を設けている。
ドレン回収タンク１は、蒸気管系で有効利用された蒸気が凝縮して得られるドレンを回
収するドレン回収管３と、図示しないボイラに接続したボイラ水供給管４との間に介装さ
れている。
ドレン回収管３は、ドレン回収タンク１の上方に接続され、その接続箇所近傍に止め弁
５を介装している。
ボイラ水供給管４は、ドレン回収タンク１の下端に接続され、その上流側より順にドレ
ン回収タンク１側への逆流を防止する逆止弁６、止め弁７及びボイラ水供給用のポンプ８
を介装している。
又、ドレン回収タンク１の下端には、ボイラ水の排水用のブロー管９を止め弁10を介し
て接続すると共に、ドレン回収タンク１の上端には、オーバーフロー管11を止め弁12を介
して接続している。
【００１０】
給水制御装置２は、ドレン回収タンク１に給水タンク13側への逆流を防止する逆止弁14
を介して給水タンク13を接続し、該給水タンク13には給水管15を接続すると共に、該給水
管15には給水タンク13内にフロート16ｃを配したフロート弁16を設けている。
給水タンク13は、ドレン回収タンク１に対し所定高さ位置に溶接等により隣接固定され
、給水タンク13の下端側からドレン回収タンク１の下方に逆止弁14を介装した連通管17で
接続されている。
フロート弁16は、その本体16ａを給水タンク13に接続した給水管15に取付け、該本体16
ａには、これに内装した弁体（図示せず）を開閉弁操作する梃子杆16ｂを給水タンク13内
方へ下方傾斜状に延出形成し、該梃子杆16ｂの先端に貯水面上に浮かばせたフロート16ｃ
を取付けて成り、該フロート16ｃが給水タンク13内の水面の昇降に従い上下することで自
動的に給水・給水停止し、給水タンク13を予め設定された水位に保持する様に成している
。
【００１１】
本実施例にあっては、給水タンク13をドレン回収タンク１に対し所定高さ位置に隣接固
定したものを示したが、給水タンク13は、ドレン回収タンク１の高さ方向に所定間隔を置
いて設定した複数の取付け部18に着脱自在に設け、ドレン回収タンク１に対する給水タン
ク13の上下位置を調整自在に設置する様に成しても良い。
この様にドレン回収タンク１に対する給水タンク13の高さ位置によってドレン回収タン
ク１の設定水位を所望する位置に変更できる。
図２に示す様に、ドレン回収タンク１において給水タンク13を取付ける側壁1aの左右端
縁には、上下方向に長いブラケット19を突設し、該ブラケット19には、その上下方向に所
定間隔を置いて複数のボルト挿通孔18から成る取付け部18を設けている。
一方、給水タンク13において、上記側壁1aに当接する側壁の左右端縁にもボルト挿通孔
を設けたブラケット20を突設している。
そして、所望高さ位置の取付け部（ボルト挿通孔）18に、給水タンク13に設けたブラケ
ット20のボルト挿通孔を対応させてボルトとナットから成る締結部材21にて両ブラケット
19、20を締結することにより、給水タンク13をドレン回収タンク１に対し所定高さ位置に
固定する。
尚、給水タンク13をドレン回収タンク１に据え付ける場合、選択された取付け部18に対
応する様にして給水タンク13を仮設置し、逆止弁14を介装した連通管17で給水タンク13を
ドレン回収タンク１に接続し、この後、試験運転してドレン回収タンク１の設定水位に不
都合がある場合には、給水タンク13の高さ位置を上方又は下方に変更して設置するのが望
ましい。
【００１２】
次に、給水制御装置２の動作について説明する。
蒸気管系で有効利用された蒸気が凝縮して得られるドレンは、ドレン回収管３を通じて
ドレン回収タンク１内に流入され、この流入したドレンはボイラ水としてドレン回収タン
ク１に一旦貯水され、ボイラ水はポンプ８の運転によりボイラへ供給される。
蒸気管系の負荷によりドレン回収タンク１内へのドレンの流入量が少なく、ドレン回収
タンク１内の貯水量が設定水位に満たない場合、給水タンク13から連通管17を通じて冷水
が補充され、この補充により、給水タンク13内の水位がその設定値より降下する。
降下した水位に伴いフロート16ｃも降下し、これにより梃子杆16ｂが下方揺動して弁体
を開弁させるため、給水管15から給水タンク13内へ自動的に給水される。
この給水により、ドレン回収タンク１内の貯水量がその設定値に達し、フロート16ｃが
給水タンク13の設定水位まで上昇すると、梃子杆16ｂが復位して弁体が閉弁するため、自
動的に給水管15からの給水が停止する。
又、ドレン回収タンク１に大量のドレンが流入し、その設定値以上に水位が上昇しても
、ドレン回収タンク１と給水タンク13とを接続している連通管17に設けた逆止弁15により
、ドレン回収タンク１から給水タンク13への逆流が防止されているため、給水タンク13内
はその設定水位より上昇することはない。
尚、ドレン回収タンク１内が満水以上となった場合には、オーバーフロー管11からボイ
ラ水の一部が外部へ流出される。
【図面の簡単な説明】
【００１３】
【図１】給水制御装置を設けたドレン回収タンクを示す簡略図である。
【図２】給水タンクの取付け位置を上下に調整できるドレン回収タンクの斜視図である。
【図３】従来技術を示す簡略図である。
【符号の説明】
【００１４】
１    ドレン回収タンク
３    ドレン回収管
４    ボイラ水供給管
13    給水タンク
14    逆止弁
15    給水管
16    フロート弁
16ｃ  フロート
18    取付け部
【図１】
2005083688.tif 000003
【図２】
2005083688.tif 000004
【図３】
2005083688.tif 000005